(57)【要約】  空気調和装置の室内機における吹出口は、室内機の筐体に形成された開口部に設けられる枠体としての吹出パネルを有し、吹出パネルには、空気の吹出し方向を変更する複数の羽根部材が配置されている。各羽根部材は、吹出パネルに対してそれぞれ係合機構を介して伸長方向の軸中心に回動自在に係合されており、係合機構は、吹出パネルまたは羽根部材のうちの一方に設けられる円柱形状の係合軸部と、他方に設けられる円筒形状の係合凹部と、を備えている。係合軸部には、円柱の一部が伸長方向に沿って取り除かれた溝部が形成され、係合凹部には、円周の一部が伸長方向に沿って開口された切欠部が形成されており、係合軸部と係合凹部とが、溝部と切欠部とを組み合せて係合される。これにより、室内機の筐体に対して取り付ける羽根部材を弾性変形させることなく容易に組み付け可能であり、当該羽根部材と室内機の筐体との組み付けの際の破損を回避できる。
2021033263.tif 000002
【特許請求の範囲】
【請求項１】
空調された空気を空調対象空間に供給するための吹出口が形成された筐体を有する空気調和装置の室内機に設けられる吹出グリルであって、
前記吹出グリルは、
前記吹出口に配置される枠体としての吹出パネルと、
前記吹出パネルに回動自在に取り付けられ、前記空気の吹出し方向を変更する複数の羽根部材と、
前記吹出パネルに対して各前記羽根部材を、それぞれ伸長方向の軸中心に回動自在に係合させる係合機構と、を備え、
前記係合機構は、
前記吹出パネルまたは各前記羽根部材のうちの一方に設けられる円柱形状の係合軸部と、他方に設けられる円筒形状の係合凹部と、を備え、
前記係合軸部には、円柱の一部が伸長方向に沿って取り除かれた溝部が形成され、
前記係合凹部には、円周の一部が伸長方向に沿って開口された切欠部が形成され、
前記係合軸部と前記係合凹部とが、前記溝部と前記切欠部とを組み合せて係合される、吹出グリル。
【請求項２】
前記係合機構は、
前記吹出パネルまたは各前記羽根部材のうちの一方に設けられる円柱形状の回動部と、他方に設けられる円筒形状の保持部と、を更に備え、
前記保持部に対して前記回動部が回動自在に係合される、請求項１に記載の吹出グリル。
【請求項３】
前記係合機構は、弾性を有する樹脂部材を用いて形成されたスリーブを有し、
前記スリーブは、前記回動部と前記保持部との間に介在される、請求項２に記載の吹出グリル。
【請求項４】
各前記羽根部材は、
伸長方向の厚みが一定であり、
前記伸長方向に直交する前記空気の吹出し方向に進むにつれ厚みが薄くなる、請求項１〜３のいずれか一項に記載の吹出グリル。
【請求項５】
各前記羽根部材に前記係合軸部が設けられる場合、
各々の前記係合軸部の周囲には、前記係合軸部に対応する前記係合凹部との干渉を回避するための第一の窪み部が形成される、請求項１〜４のいずれか一項に記載の吹出グリル。
【請求項６】
各前記羽根部材に前記回動部が設けられる場合、
前記回動部の周囲には、前記回動部に対応する前記保持部との干渉を回避するための第二の窪み部が形成される、請求項２〜５のいずれか一項に記載の吹出グリル。
【請求項７】
前記吹出パネルは、水平方向に延びた矩形状をなし、
各前記羽根部材は、
前記吹出パネルに対して垂直方向に伸長して設けられ、それぞれ間隔をあけて並んで配置される、請求項１〜６のいずれか一項に記載の吹出グリル。
【請求項８】
各前記羽根部材は、
それぞれリンク部材を介して連結されると共に、前記リンク部材と接続された駆動装置によって一体に回動される、請求項１〜７のいずれか一項に記載の吹出グリル。
【請求項９】
各前記羽根部材において、前記リンク部材が取り付けられるリンクアーム取付部は、各前記羽根部材の伸長方向の上下における中間部より下方に配置される、請求項８に記載の吹出グリル。
【請求項１０】
前記リンク部材は、２つ以上に分割されてなる、請求項８または９に記載の吹出グリル。
【請求項１１】
各前記羽根部材は、
前記吹出パネルにおける前記垂直方向に加え、前記水平方向にも伸長して設けられ、それぞれ間隔をあけて並んで配置される、請求項７〜１０のいずれか一項に記載の吹出グリル。
【請求項１２】
空調された空気を空調対象空間に供給するための吹出口が形成された筐体を有する空気調和装置の室内機に設けられる吹出グリルであって、
前記吹出グリルは、
前記吹出口に配置される枠体としての吹出パネルと、
前記吹出パネルに回動自在に取り付けられ、前記空気の吹出し方向を変更する複数の羽根部材と、
前記吹出パネルに対して各前記羽根部材を、それぞれ伸長方向の軸中心に回動自在に係合させる係合機構と、を備え、
前記係合機構は、
各前記羽根部材の伸長する鉛直方向に直交する水平方向の一端側であり、且つ、前記鉛直方向の上下面にそれぞれ設けられる円柱形状の係合軸部と、
前記吹出パネルの内壁における鉛直方向の上下面にそれぞれ突出して形成された円筒形状の係合凹部と、を有し、
各前記羽根部材は、
前記上下面のうち、少なくとも上面に配置された前記係合軸部に円柱の一部が伸長方向に沿って取り除かれた溝部が形成され、
前記吹出パネルは、
前記上下面のうち、少なくとも上面に配置された前記係合凹部に円周の一部が伸長方向に沿って開口された切欠部が形成され、
前記係合軸部の前記溝部と前記係合凹部の前記切欠部とが嵌め合い可能となっている、吹出グリル。
【請求項１３】
空調された空気を空調対象空間に供給するための吹出口が形成された筐体を有する空気調和装置の室内機であって、
前記吹出口は、請求項１〜１２のいずれか一項に記載の吹出グリルを備える、空気調和装置の室内機。
【発明の詳細な説明】
【技術分野】
【０００１】
本発明は、吹出グリルおよびそれを用いた空気調和装置の室内機に関する。
【背景技術】
【０００２】
例えば、天井埋込型の空気調和装置における室内機の筐体には、空調された空気を空調対象空間に吹き出す吹出口が形成されている。この吹出口には、開口部を形成する枠部材としての吹出グリルが設けられている。吹出グリルには、空調された空気の吹き出し方向を調整するための羽根部材である垂直ルーバが設けられている。また、垂直ルーバは、駆動装置によって向きが変更可能となっている（例えば、特許文献１参照）。【０００３】
かかる特許文献１の空気調和装置の室内機の場合、垂直ルーバには、伸長方向の両端部のそれぞれに当該伸長方向の外方に向けて突出した凸部、または、垂直ルーバの伸長方向の内方に向けて窪んだ凹部が形成されている。また、吹出グリルには、垂直ルーバの凸部に対応して窪んだ凹部、または、垂直ルーバの凹部に対応して突出した凸部が形成されている。そして、これら吹出グリルの凹部または凸部と、垂直ルーバの凸部または凹部とを嵌め合せることで、吹出グリルに対して垂直ルーバが回動自在に組み付けられるようになっている。
【先行技術文献】
【特許文献】
【０００４】
【特許文献１】中国実用新案公告第２０３２３１４８３号明細書
【発明の概要】
【発明が解決しようとする課題】
【０００５】
しかしながら、特許文献１の空気調和装置の室内機では、垂直ルーバの凸部または凹部と、吹出グリルの凹部または凸部とを嵌め合せる際に、垂直ルーバと吹出グリルとのいずれか一方または双方を弾性変形させて組み付ける必要があった。このため、場合によっては垂直ルーバと吹出グリルとのいずれか一方または双方が破損する虞があった。【０００６】
本発明は、上記課題を解決するためのものであり、羽根部材を吹出パネルに対して弾性変形させることなく容易に組み付け可能であり、当該組み付けの際の破損を回避できる吹出グリルおよびそれを用いた空気調和装置の室内機を提供することを目的とする。
【課題を解決するための手段】
【０００７】
本発明に係る吹出グリルは、空調された空気を空調対象空間に供給するための吹出口が形成された筐体を有する空気調和装置の室内機に設けられる吹出グリルであって、前記吹出グリルは、前記吹出口に配置される枠体としての吹出パネルと、前記吹出パネルに回動自在に取り付けられ、前記空気の吹出し方向を変更する複数の羽根部材と、前記吹出パネルに対して各前記羽根部材を、それぞれ伸長方向の軸中心に回動自在に係合させる係合機構と、を備え、前記係合機構は、前記吹出パネルまたは各前記羽根部材のうちの一方に設けられる円柱形状の係合軸部と、他方に設けられる円筒形状の係合凹部と、を備え、前記係合軸部には、円柱の一部が伸長方向に沿って取り除かれた溝部が形成され、前記係合凹部には、円周の一部が伸長方向に沿って開口された切欠部が形成され、前記係合軸部と前記係合凹部とが、前記溝部と前記切欠部とを組み合せて係合されるものである。【０００８】
また、本発明に係る空気調和装置の室内機は、空調された空気を空調対象空間に供給するための吹出口が形成された筐体を有する空気調和装置の室内機であって、前記吹出口は、上記の吹出グリルを備えるものである。
【発明の効果】
【０００９】
本発明に係る吹出グリルおよびそれを用いた空気調和装置の室内機によれば、複数の羽根部材が室内機の筐体に設けられる吹出パネルに対して、それぞれ係合機構を介して伸長方向の軸中心に回動自在に係合されている。係合機構は、吹出パネルまたは羽根部材のうちの一方に設けられる円柱形状の係合軸部と、他方に設けられる円筒形状の係合凹部と、を備えている。係合軸部には、円柱の一部が伸長方向に沿って取り除かれた溝部が形成され、係合凹部には、円周の一部が伸長方向に沿って開口された切欠部が形成され、係合軸部と係合凹部とが、溝部と切欠部とを組み合せて係合される。これにより、吹出パネルと各羽根部材とを弾性変形させることなく容易に組み付けることができ、これら吹出パネルと各羽根部材との組み付けの際の破損を回避できる。
【図面の簡単な説明】
【００１０】
【図１】実施の形態１に係る空気調和装置の冷媒回路を示す模式図である。
【図２】図１の空気調和装置における室内機の外観を示す斜視図である。
【図３】図２の室内機の構成を示す説明図である。
【図４】図２の室内機における吹出グリルを示す説明図である。
【図５】図４の吹出グリルにおける垂直羽根を示す平面図である。
【図６】図４の吹出グリルにおける垂直羽根を示す斜視図である。
【図７】図４の吹出グリルにおける垂直羽根を示す上面図である。
【図８】図４の吹出グリルを背面側から見て示す斜視図である。
【図９】図８の吹出グリルを下面側から見て示す構成図である。
【図１０】図８の吹出グリルの要部を拡大して示す斜視図である。
【図１１】実施の形態１に係る係合機構における係合軸部と係合凹部との係合の説明に供する説明図である。
【発明を実施するための形態】
【００１１】
以下、図面に基づいて、本発明に係る吹出グリルおよびそれを用いた空気調和装置の室内機の実施の形態について説明する。なお、明細書全文に示す構成要素の形態は、あくまで例示であってこれらの記載に限定されるものではない。すなわち、本発明は、請求の範囲および明細書全体から読み取ることのできる発明の要旨または思想に反しない範囲で適宜変更可能である。また、そのような変更を伴う吹出グリルおよびそれを用いた空気調和装置の室内機も本発明の技術思想に含まれる。さらに、各図において、同一の符号を付したものは、同一のまたはこれに相当するものであり、これは明細書の全文において共通している。
【００１２】
実施の形態１．
＜空気調和装置１の構成＞
図１を参照しながら、実施の形態１に係る空気調和装置１について説明する。図１は、実施の形態１に係る空気調和装置１の冷媒回路５を示す模式図である。
【００１３】
図１に示すように、本実施の形態１に係る空気調和装置１は、冷媒を介して外気と室内の空気との間で熱を移動させることにより、冷房または暖房運転を行って室内の空気調和を行うものであり、室内機２と室外機３とを有している。
【００１４】
空気調和装置１においては、室内機２と室外機３とが冷媒配管４、４ａ、４ｂを介して配管接続され、冷媒が循環する冷媒回路５を構成している。冷媒回路５は、圧縮機１０、流路切替装置１１、室外熱交換器１２、膨張弁１３および室内熱交換器１４を備え、これらが冷媒配管４、４ａ、４ｂを介して接続されている。
【００１５】
室外機３は、圧縮機１０、流路切替装置１１、室外熱交換器１２および膨張弁１３を有している。圧縮機１０は、吸入した冷媒を圧縮して吐出する。ここで、圧縮機１０は、不図示のインバータ装置を備えていてもよい。インバータ装置を備えた場合、制御部６によって運転周波数を変化させて、圧縮機１０の容量を変更することができる。なお、圧縮機１０の容量とは、単位時間当たりに送り出す冷媒の量である。
【００１６】
流路切替装置１１は、例えば四方弁であり、冷媒流路の方向の切り換えが行われる装置である。空気調和装置１は、制御部６からの指示に基づいて、流路切替装置１１を用いて冷媒の流れを切り換えることで、暖房運転または冷房運転を実現することができる。室外熱交換器１２は、冷媒と室外空気との熱交換を行う。また、室外熱交換器１２には、冷媒と室外空気との間の熱交換の効率を高めるために、室外送風機１５が設けられている。室外送風機１５には、不図示のインバータ装置が取り付けられていてもよい。この場合、インバータ装置は、室外送風機１５の駆動源であるファンモーター１６の運転周波数を変化させてファンの回転速度を変更する。なお、室外送風機１５は、同様の効果が得られるものであればこれに限らず、例えばファンの種類はシロッコファンでもよいし、プラグファンでもよい。また、室外送風機１５は押し込み方式でもよいし、引っぱり方式でもよい。
【００１７】
ここで、室外熱交換器１２は、暖房運転時において蒸発器として機能し、冷媒配管４ｂ側から流入した低圧の冷媒と、室外空気と、の間で熱交換を行って冷媒を蒸発させて気化させ、冷媒配管４ａ側に流出させる。また、室外熱交換器１２は、冷房運転時において凝縮器として機能し、冷媒配管４ａ側から流路切替装置１１を介して流入した圧縮機１０にて圧縮済の冷媒と、室外空気と、の間で熱交換を行い、冷媒を凝縮させて液化させ、冷媒配管４ｂ側に流出させる。なお、ここでは室外空気を外部流体として用いる場合を例に説明したが、外部流体は室外空気を含む気体に限らず、水を含む液体であってもよい。
【００１８】
膨張弁１３は、冷媒の流量を制御する絞り装置であり、膨張弁１３の開度を変化させることで冷媒配管４を流れる冷媒の流量を調節することにより、冷媒の圧力を調整する。膨張弁１３は、冷房運転時において、高圧の液状態の冷媒を低圧の気液二相状態の冷媒へと膨張させ減圧させる。なお、膨張弁１３としてはこれに限らず、同様の効果が得られるものであれば、電子膨張弁またはキャピラリーチューブ等でもよい。例えば、膨張弁１３が、電子式膨張弁で構成された場合は、制御部６の指示に基づいて開度調整が行われる。
【００１９】
室内機２は、冷媒と室内空気との間で熱交換を行う室内熱交換器１４と、室内熱交換器１４が熱交換を行う空気の流れを調整する室内送風機１７と、を有する。
【００２０】
室内熱交換器１４は、暖房運転時において凝縮器の働きをし、冷媒配管４ａ側から流入した冷媒と、室内空気と、の間で熱交換を行い、冷媒を凝縮させて液化させ、冷媒配管４ｂ側に流出させる。また、室内熱交換器１４は、冷房運転時において蒸発器として機能し、冷媒配管４ｂ側から流入した膨張弁１３によって低圧状態にされた冷媒と、室内空気と、の間で熱交換を行い、冷媒に空気の熱を奪わせて蒸発させて気化させ、冷媒配管４ａ側に流出させる。なお、ここでは室内空気を外部流体として用いる場合を例に説明したが、外部流体は室内空気を含む気体に限らず、水を含む液体であってもよい。
【００２１】
室内送風機１７の運転速度は、ユーザーの設定により決定される。室内送風機１７には、インバータ装置を取り付け、ファンモーター１８の運転周波数を変化させてファンの回転速度を変更することが好ましい。なお、室内送風機１７は、同様の効果が得られるものであればこれに限らず、例えば、ファンの種類はシロッコファンでもよいし、プラグファンでもよい。また、室内送風機１７は押し込み方式でもよいし、引っぱり方式でもよい。
【００２２】
＜空気調和装置１の冷房および暖房運転の動作例＞
次に、空気調和装置１の動作例として冷房運転の動作を説明する。圧縮機１０によって圧縮され吐出された高温高圧のガス冷媒は、流路切替装置１１を経由して、室外熱交換器１２に流入する。室外熱交換器１２に流入したガス冷媒は、室外送風機１５により送風される外気との熱交換により凝縮し、低温の冷媒となって、室外熱交換器１２から流出する。室外熱交換器１２から流出した冷媒は、膨張弁１３によって膨張および減圧され、低温低圧の気液二相冷媒となる。この気液二相冷媒は、室内機２の室内熱交換器１４に流入し、室内送風機１７により送風される室内空気との熱交換により蒸発し、低温低圧のガス冷媒となって室内熱交換器１４から流出する。このとき、冷媒に吸熱されて冷却された室内空気は、空調空気（吹出風）となって、室内機２から空調対象空間である室内に吹き出される。室内熱交換器１４から流出したガス冷媒は、流路切替装置１１を経由して圧縮機１０に吸入され、再び圧縮される。空気調和装置１の冷房運転は、以上の動作が繰り返される（図１中、実線の矢印で示す）。
【００２３】
次に、空気調和装置１の動作例として暖房運転の動作を説明する。圧縮機１０によって圧縮され吐出された高温高圧のガス冷媒は、流路切替装置１１を経由して、室内機２の室内熱交換器１４に流入する。室内熱交換器１４に流入したガス冷媒は、室内送風機１７により送風される室内空気との熱交換により凝縮し、低温の冷媒となって、室内熱交換器１４から流出する。このとき、ガス冷媒から熱を受け取り暖められた室内空気は、空調空気（吹出風）となって、室内機２から室内に吹き出される。室内熱交換器１４から流出した冷媒は、膨張弁１３によって膨張および減圧され、低温低圧の気液二相冷媒となる。この気液二相冷媒は、室外機３の室外熱交換器１２に流入し、室外送風機１５により送風される外気との熱交換により蒸発し、低温低圧のガス冷媒となって室外熱交換器１２から流出する。室外熱交換器１２から流出したガス冷媒は、流路切替装置１１を経由して圧縮機１０に吸入され、再び圧縮される。空気調和装置１の暖房運転は、以上の動作が繰り返される（図１中、破線の矢印で示す）。
【００２４】
＜吹出グリル２２＞
ここで、図２〜図１１を参照しながら、本実施の形態１に係る空気調和装置１の室内機２および室内機２に設けられる吹出グリル２２について説明する。図２は、図１の空気調和装置１における室内機２の外観を示す斜視図である。図３は、図２の室内機２の構成を示す説明図である。図４は、図２の室内機２における吹出グリル２２を示す説明図である。図５は、図４の吹出グリル２２における垂直羽根２５を示す平面図である。図６は、図４の吹出グリル２２における垂直羽根２５を示す斜視図である。図７は、図４の吹出グリル２２における垂直羽根２５を示す上面図である。図８は、図４の吹出グリル２２を背面側から見て示す斜視図である。図９は、図８の吹出グリル２２を下面側から見て示す構成図である。図１０は、図８の吹出グリル２２の要部を拡大して示す斜視図である。図１１は、実施の形態１に係る係合機構２６における係合軸部２６１と係合凹部２６２との係合の説明に供する説明図である。
【００２５】
なお、以下の説明においては、本実施の形態１における係合機構２６を、吹出パネル２３と、羽根部材のうちの垂直羽根２５と、を係合する機構に適用する場合について説明するが、この係合機構２６としては、これに限ることはない。すなわち、本実施の形態１における係合機構２６は、吹出パネル２３と羽根部材のうちの水平羽根２４とを係合する機構としても適用可能である。また、各図において、矢印Ｘは、室内機２の高さ方向であり、吹出パネル２３に対して設けられる垂直羽根２５の伸長する鉛直方向（垂直方向とも称する）を示す。また、矢印Ｙは、鉛直方向Ｘに直交する方向であり、室内機２の奥行き方向を示す。矢印Ｚは、鉛直方向Ｘに直交する室内機２の幅方向であり、吹出パネル２３に対して設けられる水平羽根２４の伸長する水平方向を示す。
【００２６】
図２および図３に示すように、室内機２は、例えば天井埋込型の空気調和装置１（図１参照）に用いられ、外郭を形成する筐体２０が直方体形状で形成されている。筐体２０には、室内熱交換器１４および室内送風機１７等が収容されている。筐体２０は、室内機２の設置状態において空調対象空間に面する一方側の面２ａに面して、空調された空気を空調対象空間に供給するための吹出口２１が形成されている。吹出口２１は、筐体２０の内方側と空調対象空間側とを貫通して形成された開口部２０ａに位置している。また、吹出口２１には、吹出グリル２２が設けられている。すなわち、室内機２にて冷房または暖房された空気は、開口部２０ａおよび吹出口２１の吹出グリル２２を介して空調対象空間へと吹き出される。なお、図３において矢印ＡＦは、この空気の流れる方向を示している。
【００２７】
吹出グリル２２は、枠体としての吹出パネル２３と、吹出パネル２３に回動自在に取り付けられ、空気の吹出し方向を変更するための複数の羽根部材である水平羽根２４および垂直羽根２５と、を備えている。また、吹出グリル２２は、吹出パネル２３に対して各垂直羽根２５を、それぞれ伸長方向Ｘの軸中心に回動自在に係合させる係合機構２６を備えている。なお、各水平羽根２４は、吹出パネル２３に垂直に設けられた取付壁部２７を介して、当該吹出パネル２３にそれぞれ伸長する水平方向Ｚの軸中心に回動自在に係合されている。
【００２８】
具体的に、係合機構２６は、図４〜図８に示すように、各垂直羽根２５に設けられる円柱形状の係合軸部２６１と、吹出パネル２３に設けられる円筒形状の係合凹部２６２と、を備えている。係合軸部２６１は、各垂直羽根２５の伸長方向Ｘの上下面のうち、少なくとも上面側で、且つ、室内機２の奥行き方向Ｙにおける筐体２０の内方側端部に設けられる。係合軸部２６１には、円柱の一部が伸長方向Ｘに沿って取り除かれた溝部２６１ａが形成されている（図５〜図７参照）。また、係合凹部２６２には、円周の一部が伸長方向Ｘに沿って開口された切欠部２６２ａが形成されている（図１１参照）。そして、これら係合軸部２６１と係合凹部２６２とが、溝部２６１ａと切欠部２６２ａとを組み合せることで係合されている。つまり、係合軸部２６１の溝部２６１ａと、係合凹部２６２の切欠部２６２ａとが嵌め合い可能となっている。なお、ここでは、係合軸部２６１が各垂直羽根２５側に設けられ、係合凹部２６２が吹出パネル２３側に設けられる場合について述べるが、係合軸部２６１と係合凹部２６２との配置はこれに限ることはない。すなわち、係合軸部２６１と係合凹部２６２とは、一方が各垂直羽根２５側または吹出パネル２３側の一方に、他方が各垂直羽根２５側または吹出パネル２３側の他方に設けられればよい。
【００２９】
吹出パネル２３は、水平方向Ｚに延びた矩形状をなしている。各垂直羽根２５は、吹出パネル２３に対して垂直方向Ｘに伸長して設けられ、水平方向Ｚに向かってそれぞれ間隔をあけて並んで配置されている。このとき、各垂直羽根２５の間隔は一定となっている。また、吹出パネル２３の係合凹部２６２は、各垂直羽根２５の数に対応し、隣り合う係合凹部２６２間の間隔は一定である。
【００３０】
また、係合機構２６は、各垂直羽根２５に設けられる円柱形状の回動部２６３と、吹出パネル２３に設けられる円筒形状の保持部２６４と、を更に備え、保持部２６４に対して回動部２６３が回動自在に係合されている。回動部２６３は、各垂直羽根２５の伸長方向Ｘの上下面のうち、少なくとも下面側で、且つ、室内機２の奥行き方向Ｙにおける筐体２０の内方側端部に設けられる。吹出パネル２３に設けられる保持部２６４は、各垂直羽根２５の数に対応し、隣り合う保持部２６４間の間隔は一定である。なお、ここでは、回動部２６３が各垂直羽根２５側に設けられ、保持部２６４が吹出パネル２３側に設けられる場合について述べるが、回動部２６３と保持部２６４との配置はこれに限ることはない。すなわち、これら回動部２６３と保持部２６４とは、一方が各垂直羽根２５側または吹出パネル２３側の一方に、他方が各垂直羽根２５側または吹出パネル２３側の他方に設けられればよい。
【００３１】
係合機構２６は、弾性を有する樹脂部材を用いて形成されたスリーブ２６５を有している。このスリーブ２６５は、回動部２６３と保持部２６４との間に介在される。ここで、回動部２６３と保持部２６４との間に介在されるスリーブ２６５は、弾性を有するＰＯＭ（polyacetal）、ＰＰ（polypropylene）、または、ＰＥ（polyethylene）等の樹脂を用いて形成されることが好ましい。また、回動部２６３と保持部２６４とは、剛性を有するＡＢＳ（acrylonitrile butadiene styrene）、ＨＩＰＳ（high impact polystyrene）、ＰＳ（polystyrene）、または、ＰＭＭＡ（polymethyl methacrylate）等の樹脂で形成されることが好ましい。これにより、剛性を有する樹脂部材同士が摺動することを防ぐことができ、駆動音を抑制できる。
【００３２】
なお、本実施の形態１では、係合機構２６として、各垂直羽根２５に係合軸部２６１と回動部２６３とを備え、吹出パネル２３に係合凹部２６２と保持部２６４とを備える場合について述べたが、係合機構２６の構成はこれに限ることはない。すなわち、回動部２６３および保持部２６４を設けることなく、各垂直羽根２５と吹出パネル２３とを係合する各々の上下面における双方に、係合軸部２６１と係合凹部２６２とを備えるようにしてもよい。
【００３３】
また、各垂直羽根２５は、伸長方向Ｘの厚みが一定であり、伸長方向Ｘに直交する空気の吹出し方向ＡＦに進むにつれ厚みが薄くなっている。これにより、各垂直羽根２５をより小さい力で回動可能としている。
【００３４】
各垂直羽根２５に係合軸部２６１が設けられる場合、各々の係合軸部２６１の周囲には、係合軸部２６１に対応する係合凹部２６２との干渉を回避するための第一の窪み部２５１が形成されている。これにより、係合軸部２６１を係合凹部２６２と干渉させることなく係合させることができる。
【００３５】
また、各垂直羽根２５に回動部２６３が設けられる場合、回動部２６３の周囲には、回動部２６３に対応する保持部２６４との干渉を回避するための第二の窪み部２５２が形成されている。これにより、回動部２６３を保持部２６４と干渉させることなく係合させることができる。
【００３６】
図８および図９に示すように、各垂直羽根２５は、それぞれリンク部材としてのリンクアーム２８を介して連結されると共に、リンクアーム２８と接続された駆動装置４０によって一体に回動される。これにより、各垂直羽根２５を個々に回動させる手間を省き、まとめて一体に回動させることができる。
【００３７】
また、各垂直羽根２５において、各垂直羽根２５の伸長方向Ｘの上下における中間部より下方に、リンクアーム２８が挿入される挿入部２５３と、リンクアーム２８が取り付けられるリンクアーム取付部２５４とが、配置されている。これにより、風速が低い位置にリンクアーム２８を配置でき、可能な限り圧力損失を低減できる。
【００３８】
リンクアーム２８は、一方で各垂直羽根２５のリンクアーム取付部２５４と嵌め合わされる。また、リンクアーム２８は他方でアーム４５と接続され、アーム４５は駆動装置４０と接続される。駆動装置４０は、駆動源としてのモータ４１を有し、モータ４１はモータ取付台４２に配置される。モータ４１の駆動軸には、リンクアーム２８の駆動装置４０側の端部に形成されたモータ軸差込部４３を介してリンク部４４と連結されたアーム４５が取り付けられている。
【００３９】
アーム４５は、モータ取付台４２に配置されたモータ４１によって駆動され、リンクアーム２８を介して各垂直羽根２５が吹出パネル２３の吹出口２１に対して、水平方向Ｚにおける左右に回動するように駆動される。ここでは、一例として、リンクアーム２８が１つで構成される場合について図示して説明しているが、例えば、吹出パネル２３の水平方向Ｚの幅が７００ｍｍを超える長尺の場合、リンクアーム２８は、２つ以上に分割されてなることが好ましい。これにより、長尺物の樹脂部品に発生しがちな、部品寸法精度の低下を抑制できる。
【００４０】
なお、ここでは、図示省略するが、このような係合機構２６は、吹出パネル２３における垂直方向Ｘに配置された各垂直羽根２５のみならず、吹出パネル２３における水平方向Ｚに伸長して設けられ、それぞれ間隔をあけて並んで配置される各水平羽根２４においても適用可能である。この場合、各垂直羽根２５と同様に各水平羽根２４と吹出パネル２３との係合においても弾性変形させることなく、容易に取り付けることができる。
【００４１】
＜実施の形態１における効果＞
以上、説明したように、本実施の形態１の吹出グリル２２およびそれを用いた空気調和装置１の室内機２によれば、複数の垂直羽根２５が室内機２の筐体２０に設けられる吹出パネル２３に対して、それぞれ係合機構２６を介して伸長方向Ｘの軸中心に回動自在に係合されている。係合機構２６は、吹出パネル２３または各垂直羽根２５のうちの一方に設けられる円柱形状の係合軸部２６１と、他方に設けられる円筒形状の係合凹部２６２と、を備えている。係合軸部２６１には、円柱の一部が伸長方向に沿って取り除かれた溝部２６１ａが形成され、係合凹部２６２には、円周の一部が伸長方向に沿って開口された切欠部２６２ａが形成され、係合軸部２６１と係合凹部２６２とが、溝部２６１ａと切欠部２６２ａとを組み合せて係合される。これにより、吹出パネル２３と各垂直羽根２５とを弾性変形させることなく容易に組み付けることができ、これら吹出パネル２３と各垂直羽根２５との組み付けの際の破損を回避できる。
【符号の説明】
【００４２】
１  空気調和装置、２  室内機、２ａ  面、３  室外機、４  冷媒配管、４ａ  冷媒配管、４ｂ  冷媒配管、５  冷媒回路、６  制御部、１０  圧縮機、１１  流路切替装置、１２  室外熱交換器、１３  膨張弁、１４  室内熱交換器、１５  室外送風機、１６  ファンモーター、１７  室内送風機、１８  ファンモーター、２０  筐体、２０ａ  開口部、２１  吹出口、２２  吹出グリル、２３  吹出パネル、２４  水平羽根、２５  垂直羽根、２６  係合機構、２７  取付壁部、２８  リンクアーム、４０  駆動装置、４１  モータ、４２  モータ取付台、４３  モータ軸差込部、４４  リンク部、４５  アーム、２５１  第一の窪み部、２５２  第二の窪み部、２５３  挿入部、２５４  リンクアーム取付部、２６１  係合軸部、２６１ａ  溝部、２６２  係合凹部、２６２ａ  切欠部、２６３  回動部、２６４  保持部、２６５  スリーブ、ＡＦ  吹出し方向、Ｘ  鉛直方向、伸長方向、垂直方向、Ｙ  奥行き方向、Ｚ  水平方向。
【図１】
2021033263.tif 000003
【図２】
2021033263.tif 000004
【図３】
2021033263.tif 000005
【図４】
2021033263.tif 000006
【図５】
2021033263.tif 000007
【図６】
2021033263.tif 000008
【図７】
2021033263.tif 000009
【図８】
2021033263.tif 000010
【図９】
2021033263.tif 000011
【図１０】
2021033263.tif 000012
【図１１】
2021033263.tif 000013
【国際調査報告】
2021033263.tif 000014
2021033263.tif 000015
2021033263.tif 000016
2021033263.tif 000017